(57)【要約】【課題】ワイヤハーネスを挿通した金属製パイプに外嵌固定するグロメットの小径筒部を容易に移動させて位置合わせできるようにする。【解決手段】ゴムまたはエラストマーから成形され、金属製パイプを含む外装材あるいはワイヤハーネスからなる被取付材の外周面に密着される小径筒部および該小径筒部に連続する大径筒部を有するグロメットであって、前記小径筒部の外周面の直径方向に対向する少なくとも２カ所に引っ張り用突片（１０）を突設している。【選択図】図４
2014117046.tif 000002
【特許請求の範囲】
【請求項１】
ゴムまたはエラストマーから成形され、金属製パイプを含む外装材あるいはワイヤハーネスからなる被取付材の外周面に密着される小径筒部および該小径筒部に連続する大径筒部を有するグロメットであって、
前記小径筒部の外周面の直径方向に対向する少なくとも２カ所に引っ張り用突片を突設していることを特徴とするグロメット。
【請求項２】
前記小径筒部の内径は外嵌する前記被取付材の外径の８０％〜２０％であり、該小径筒部の先端開口から所要寸法まで一対のスリットが切り込まれ、該スリットが設けられていない部位の小径筒部の内周面にシールリップが突設され、前記シールリップの突設部の外周面に前記引っ張り用突片を設けている請求項１に記載のグロメット。
【請求項３】
前記一対の引っ張り用突片は小径筒部の周方向に延在する幅（ｗ）と、小径筒部の外周面から径方向の外方へ突出する高さ（ｈ）を有する偏平な板状とし、前記幅（ｗ）は周方向に４５〜９０度の範囲である請求項１または請求項２に記載のグロメット。
【請求項４】
車両の床下配線されるワイヤハーネスを挿通する金属製パイプに取り付けられる請求項１乃至請求項３に記載のグロメット。
【発明の詳細な説明】
【技術分野】
【０００１】
本発明はグロメットに関し、詳しくは、車両に配索されるワイヤハーネスを挿通する金属パイプにゴムまたはエラストマーからなるグロメットの小径筒部を密着させて取り付け、車体パネルのワイヤハーネス用貫通穴に装着するグロメットに関する。
【背景技術】
【０００２】
従来、電気自動車やハイブリッド自動車では、バッテリとインバータとの間やインバータとモータの間等に配索するワイヤハーネスは、ノイズ発生源となる高圧電線が含まれるためフロアパネル下方の床下に配索し、床下配索領域ではワイヤハーネスの保護と高圧電線のシールド対策として金属製のパイプに挿通している場合が多い。（特開２００４−２２４１５６号公報参照）
【０００３】
前記ワイヤハーネスに外装した金属パイプはリア側でフロアパネルに設けた貫通穴を通してフロアパネル上に引き出してバッテリ等と接続され、該貫通穴を通る部位には予めグロメットを金属パイプに外装し、該グロメットを貫通穴に装着して防水、防塵を図っている。該防水、防塵等のシール用に取り付けるグロメットは、ゴムまたはエラストマーからなる柔軟性のよい弾性体から形成し、ワイヤハーネスまたはワイヤハーネスを外装するパイプ材からなる被取付材に密着させるグロメットの小径筒部は、被取付材の外径より小さく設定し、小径筒部を拡げジグで開きながら被取付材の外周面に密着させて外嵌固着している。
【０００４】
前記床下配線ワイヤハーネスに外装した金属製パイプをフロアパネルの貫通穴に通す場合、該金属パイプに外嵌するグロメットを、前記貫通穴と対応する位置に正確に位置合わせするために移動させる必要がある。よって、図８（Ａ）（Ｂ）に示すように、ワイヤハーネスＷ／Ｈを挿通している金属パイプ１００に外装したグロメット１１０の小径筒部１１１を作業者が指で摘まんで引っ張り、所要位置まで軸線方向Ｌに移動させている。  
しかしながら、グロメットの小径筒部１１１は金属パイプ１００の外周面に密着しているため、小径筒部１１１を移動させるのが困難である。特に、小径筒部１１１を取り付け方向と逆方向の大径筒部１１２側へ移動させることは非常に困難で難作業となる。かつ、薄肉の小径筒部１１１を部分的に強く掴んで引っ張ると、掴んだ部分が変形してふくらみ、当該部分と金属パイプ１００との間に空隙Ｖが生じ、浸水が生じる恐れがある。
【０００５】
従来、本出願人は、特開２００１−９９３５９号公報（特許文献１）で図９に示すように、グロメット２００の小径筒部２０１に連続する大径筒部２０２の端面２０３の外面に突起２０５を突設したグロメットを提供している。該突起２０５は大径筒部２０２の外周面に設けた車体係止凹部２０６を車体パネルの貫通穴の周縁に正確に嵌合させるために、大径筒部２０２を引っ張って位置あわせさせるための突起である。
【先行技術文献】
【特許文献】
【０００６】
【特許文献１】特開２００１−９９３５９号公報
【発明の概要】
【発明が解決しようとする課題】
【０００７】
前記図９に示すように、グロメットの車体係止凹部をパネルの貫通穴に正確に位置合わせしてシールリップの引っ掛かりを補正するための突起を設けたグロメットを提案しているが、グロメットの小径筒部を容易に移動させることができる部位を設けたグロメットは提供されておらず、作業性が非常に悪いと共に、小径筒部を掴んで無理に引っ張ると防水性能が低下する問題がある。
【０００８】
本発明は前記問題に鑑みてなされたもので、金属製パイプ等の被取付材に外嵌固着したグロメットの小径筒部を作業者が容易に移動できる構成としたグロメットを提供することを課題としている。
【課題を解決するための手段】
【０００９】
前記課題を解決するため、本発明は、ゴムまたはエラストマーから成形され、金属製パイプを含む外装材あるいはワイヤハーネスからなる被取付材の外周面に密着される小径筒部および該小径筒部に連続する大径筒部を有するグロメットであって、
前記小径筒部の外周面の直径方向に対向する少なくとも２カ所に引っ張り用突片を突設していることを特徴とするグロメットを提供している。
【００１０】
本発明のグロメットでは、前記のように、小径筒部の外周面に一対の引っ張り用突片を突設しているため、該一対の引っ張り用突片を作業者が指で掴み、まず、両方の引っ張り用突片を互いに反対方向の外方へ引っ張ると、小径筒部と被取付材の間の全周に隙間を無理なく空けることができ、その後、所要方向へ引っ張ってスムーズに移動させることができる。よって、グロメットと車体パネルの貫通穴との位置合わせの微小な移動作業を作業者は容易に行うことができる。
【００１１】
本発明のグロメットは、小径筒部を被取付材の外周面に密着させるグロメットであれば適用でき、大径筒部の外周面に設ける環状の車体係止凹部を車体パネルの貫通穴の周縁に装着する一体物のグロメットであっても、大径筒部に樹脂インナーを装着した二体物のグロメットでもよい。
また、本発明のグロメットを装着する前記被取付材は、ワイヤハーネスに外装する前記金属製パイプのほか、コルゲートチューブ、樹脂丸チューブの外装材であってもよく、また、テープ巻き結束したワイヤハーネスでもよい。
【００１２】
前記グロメットの小径筒部の内径は外嵌する前記被取付材の外径の８０％〜２０％であり、該小径筒部の先端開口から所要寸法まで一対のスリットが切り込まれ、該スリットが設けられていない部位の小径筒部の内周面にシールリップが突設され、前記シールリップの突設部の外周面に前記引っ張り用突片を設けていることが好ましい。
【００１３】
グロメットの小径筒部の開口端縁にはテープ止め突起があり、該開口先端から一対のスリットを軸線方向に延在して設け、このスリットが設けられる部位がテープ巻き部位とされる。よって、前記引っ張り用突片の突設部位はテープ巻き時に邪魔とならない。かつ、該引っ張り用突片は内周面にシールリップを設けた部分の外周面に突設し、当該部分の内周面の全面が被取付材に密着されていないため、引っ張り用突片を小径筒部の軸線方向と直交方向に引っ張ると被取付材から小径筒部を引き離しやすくなる。
【００１４】
前記小径筒部の外周面に突設する引っ張り用突片は、作業者が一方の手で片方の引っ張り用突片を摘まみ、他方の手で他の一方の引っ張り用突片を摘まみ、両方の手で一対の引っ張り用突片を摘まむようにしている。しかしながら、被取付材に対する取り付け状態で一対の引っ張り用突片の位置が作業者が引っ張りにくい位置となる場合もあるため、９０度間隔をあけて引っ張り用突片を４つ設けてもよい。
【００１５】
前記一対の引っ張り用突片は小径筒部の周方向に延在する幅と、小径筒部の外周面から径方向の外方へ突出する高さを有する偏平な板状とすることが好ましい。該引っ張り用突片の大きさは作業者が指で把持して摘まむことができる程度であればよく、限定されないが、幅は周方向に４５〜９０度の範囲が好ましい。
【００１６】
本発明のグロメットは、床下配線されるワイヤハーネスを挿通する金属製パイプの外周面に取り付ける場合に最も効果的に用いられる。
【発明の効果】
【００１７】
前記のように、本発明のグロメットは小径筒部に一対の引っ張り用突片を設けているため、作業者が引っ張り用突片を掴んで引っ張ることで、被取付材の外周面に密着させた小径筒部を容易に移動させることができる。よって、パネルの貫通穴とグロメットの係止部との位置合わせのために、小径筒部の移動を容易に行うことができ、作業性を高め、作業時間を短縮することでコスト削減を図ることができる。
【図面の簡単な説明】
【００１８】
【図１】本発明の実施形態のグロメットを示し、（Ａ）は斜視図、（Ｂ）は右側面図、（Ｃ）は断面図である。
【図２】引っ張り用突片を設けた部分の小径筒部の拡大断面図である。
【図３】（Ａ）は前記グロメットを取り付けるワイヤハーネスの配索箇所を示す説明図、（Ｂ）はグロメットを装着する部位の車体の貫通穴を示す図面である
【図４】前記グロメットを取り付けたワイヤハーネスを示す斜視図である。
【図５】（Ａ）は図４の要部断面図、（Ｂ）は（Ａ）の一部拡大図である。
【図６】前記グロメットの引っ張り用突片を摘まんで移動させる作業を示し、（Ａ）は正面図、（Ｂ）は軸線方向の断面図、（Ｃ）は径方向の断面図である。
【図７】他の実施形態を示す図面である。
【図８】（Ａ）（Ｂ）は従来例を示す図面である。
【図９】他の従来のグロメットを示す図面である。
【発明を実施するための形態】
【００１９】
以下、本発明のグロメットの実施形態を図面を参照して説明する。
図１乃至図６に示す実施形態のグロメット１はゴムまたはエラストマーからなる一体成形品であり、図１に示すように、小径筒部２の一端に大径筒部３を連続して設け、該大径筒部の外周面に環状の車体係止凹部４を設け、該車体係止凹部４の側壁にシールリップ５を設けている。
【００２０】
前記大径筒部の連続側と反対方向の小径筒部２の先端開口２ａの周縁に沿ってテープ止め突起２ｂを突設し、かつ、該先端開口の周縁から直径方向に対向する２カ所に軸線方向に延在する一対のスリット２ｓを切り込んでいる。該スリット２ｓの奥端２ｅから外れた位置の小径筒部２の外周面２ｃに、スリット２ｓと直交方向の位置に対称の一対の引っ張り用突片１０、１０を突設している。該引っ張り用突片１０を外周面から突設した部位の小径筒部２の内周面には環状のシールリップ２ｒを突設している。
【００２１】
図２に示すように、前記一対の引っ張り用突片１０は、小径筒部２の周方向に延在する幅（ｗ）と、小径筒部２の外周面から径方向の外方へ突出する高さ（ｈ）を有する偏平な板状としている。該引っ張り用突片１０の大きさは作業者が指で把持して摘まむことができる程度であればよく、幅（ｗ）は周方向に４５〜９０度の角度（θ）の範囲が好ましい。
【００２２】
本実施形態のグロメット１は図３（Ａ）に示すように、電気自動車またはハイブリッド自動車５０において床下配線するワイヤハーネスＷ／Ｈを挿通する金属製のパイプ２０からなる被取付材に外嵌し、フロアパネル２１に設けた貫通穴２２に装着するものである。  グロメット１の小径筒部２は前記パイプ２０の外径の８０〜２０％と小径であり、よって、ワイヤハーネスへの取り付け時には、グロメット１の小径筒部２を拡げ治具（図示せず）で拡げてパイプ２０に通している。パイプ２０の所要位置まで小径筒部２を通した後に拡げ治具を外し、パイプ２０の外周面に小径筒部２の内周面を密着している。
【００２３】
グロメット１の車体係止凹部４を前記貫通穴２２と正確に一致させるため、グロメット１をパイプ２０に対して軸線方向に移動させて位置合わせする作業が必要になる。
その場合、図６（Ａ）に示すように、パイプ２０の外周面に密着している小径筒部２の外周面から突出している一対の引っ張り用突片１０を作業者が指で掴む。其の際、一方の手で図中上側に位置する引っ張り用突片１０を摘まみ、他方の手で図中下側に位置する引っ張り用突片１０を摘まみ、上下の引っ張り用突片１０、１０を互いに逆方向の上下方向Ｃ１、Ｃ２方向に引っ張る。
前記引っ張り用突片１０、１０をＣ１、Ｃ２に引っ張ると、図６（Ｂ）（Ｃ）に示すように、小径筒部２の内周面をパイプ２０の外周面から隙間３０をあけて引き離すことができる。
【００２４】
ついで、上下の引っ張り用突片１０、１０を位置合わせ方向Ｌ１またはＬ２の方向に引っ張って、パイプ２に対して軸線方向に移動させる。該移動は小径筒部２の内周面とパイプ２０の外周面との間に隙間３０が生じているため無理なく移動させることができる。
このように、引っ張り用突片１０、１０を作業者が両手でそれぞれ掴んで引っ張ることにより、小径筒部２をパイプ２０に対して容易に移動させることができ、グロメット２の固定位置を、貫通穴と位置合わせできる位置に正確に一致させることができる。
【００２５】
その後、グロメット１の小径筒部２のスリット２ｓを設けた部分の外周面からパイプ２０の外周面にかけて図３（Ｂ）に示す粘着テープＴを巻き付けて、グロメット１をパイプ２０の外周面に固着している。
【００２６】
前記のように、パイプ２０に対するグロメット１の固定位置を高精度とすると、自動車にワイヤハーネスを配索し、グロメット１を車体パネルの貫通穴に嵌合固定する作業を容易に行うことができる。
【００２７】
本発明のグロメットは前記実施形態に限定されず、図７に示すように、小径筒部２から突設する引っ張り用突片１０を外方に向かって幅寸法を小さくした台形状とし、小径筒部２との連続部分の寸法を大としてもよい。該形状とすると、引っ張り用突片１０が小径筒部２から離脱するのを防止でき、かつ、外方のＣ１、Ｃ２の方向へ引っ張った時に小径筒部２の内周面とパイプ２０の外周面との間に発生させる隙間３０の周方向長さを拡大できる。
【００２８】
さらに、金属製パイプに取り付けるグロメットに限定されず、コルゲートチューブ、丸チューブに取り付ける場合、粘着テープで電線群を集束したワイヤハーネスに外装する場合にも好適に用いられる。
【符号の説明】
【００２９】
１  グロメット
２  小径筒部
２ｓ  スリット
２ｒ  シールリップ
１０  引っ張り用突片
２０  金属製パイプ
２１  フロアパネル
２２  貫通穴
Ｗ／Ｈ  ワイヤハーネス
【図１】
2014117046.tif 000003
【図２】
2014117046.tif 000004
【図３】
2014117046.tif 000005
【図４】
2014117046.tif 000006
【図５】
2014117046.tif 000007
【図６】
2014117046.tif 000008
【図７】
2014117046.tif 000009
【図８】
2014117046.tif 000010
【図９】
2014117046.tif 000011